(57)【特許請求の範囲】
【請求項１】
火災監視時に、天井面の所定位置に該天井面と略平行に配設され、感知器が下面に固定される板状体と、前記板状体の移動を案内する前記天井面から側壁面に続く一対の平行なガイドレールと、を有し、
該ガイドレールは、保守点検時に前記板状体を前記天井面に沿って感知器取り外し位置上方へ移動させるとともに、前記感知器取り外し位置上方から感知器取り外し位置に向かって降下せしめる移動手段を備え、前記移動手段は、牽引機構を備えていることを特徴とする感知器の移動装置。
【請求項２】
前記板状体が、連動する複数のシャッター部により構成されたシャッターであり、該シャッターの後端部を側壁面に位置させ、牽引可能とする請求項１記載の感知器の移動装置。
【請求項３】
前記シャッターの背面に、前記感知器と受信機を連結する信号線を配置したことを特徴とする請求項２記載の感知器の移動装置。
【発明の詳細な説明】
【技術分野】
【０００１】
この発明は、天井面に取り付けられている感知器、例えば、煙感知器、熱感知器等の移動装置に関するものである。
【背景技術】
【０００２】
煙感知器等の火災感知器は、定期的に機能試験を行うことが義務づけられている。そこで、従来、次のようなダクト用火災感知器取付装置が開発されている。この装置は、ダクト内に設けた窓から、ガイドレール及び遊動レールを介して感知器取付板を引き出した後、該取付板を、ピンを軸として上下方向に回動させ、感知器を保守点検しやすい状態にするものである（例えば、特許文献１、参照）。
【０００３】
前記特許文献１は、感知器が保守点検作業員（以下、単に「作業員」という）の手の届く範囲内に位置する場合には、採用できるが、天井面に取り付けられている火災感知器の様に、前記作業員の手の届かない位置にある場合には、該作業員がわざわざ移動して該感知器まで近づかなければならないので、時間がかかり、作業効率が悪い上、安全性にも問題がある。
【０００４】
そこで、加熱試験器の支持棒先端付近に冷却用液化ガスボンベを装着し、該ボンベのノズルを上方向に向けて支持固定すると共に、ガス噴出用押釦を押圧保持する操作レバーを設けた火災感知器試験装置が開発されている（例えば、特許文献２、参照）。
【０００５】
【特許文献１】実公昭５４−４０７８７号公報
【特許文献２】実開昭５８−１４２７９４号公報
【発明の開示】
【発明が解決しようとする課題】
【０００６】
特許文献２の火災感知器試験装置は、支持棒を火災感知器の真下まで移動させた後、該火災感知器に向かって押し上げなければならないので、天井面が高くなるにつれて試験を行うまでの段取りに時間がかかると共に、不安定な重い支持棒を動かしながら該火災感知器との位置合わせをしなければならないので、重労働であり、効率良く試験作業を行うことができない。又、該火災感知器は天井面に取り付けられているので、前記作業員が直接目視により防虫網の目詰まりなどの外観点検を行うことは困難である。
【０００７】
更に、発電所等では、火災感知器の真下に危険な大型設備が設置されていることがあるが、この様な場合には、支持棒を火災感知器の真下に移動させることができず、又、その真下近傍に移動できたとしても、誤って前記支持棒を発電装置などに接触させると感電することがあり、極めて危険である。
【０００８】
この発明は、上記事情に鑑み、安全かつ容易に保守点検作業を行えるようにすることを目的とする。
【課題を解決するための手段】
【０００９】
この発明は、火災監視時に、天井面の所定位置に該天井面と略平行に配設され、感知器が下面に固定される板状体と、前記板状体の移動を案内する前記天井面から側壁面に続く一対の平行なガイドレールと、を有し、該ガイドレールは、保守点検時に前記板状体を前記天井面に沿って感知器取り外し位置上方へ移動させるとともに、前記感知器取り外し位置上方から感知器取り外し位置に向かって降下せしめる移動手段を備え、前記移動手段は、牽引機構を備えていることを特徴とする。
【００１１】
この発明は、前記板状体が、連動する複数のシャッター部により構成されたシャッターであり、該シャッターの後端部を側壁面に位置させ、牽引可能とすることを特徴とする。この発明のシャッターの背面に、前記感知器と受信機を連結する信号線を配置したことを特徴とする。
【発明の効果】
【００１２】
この発明は、以上のように構成したので、板状体を前記作業員の手の届く位置まで引き寄せることができる。そのため、前記作業員は、容易に、板状体に取り付けられている感知器を外し、保守点検を行うことができる。又、該感知器を直接目視により詳細に点検することができる。更に、ガイドレールの配設位置を選択することにより、感知器の取り外し位置を任意の安全な位置にすることができる。
【発明を実施するための最良の形態】
【００１３】
本件発明者は、前記目的を達成するためには、前記作業員が火災感知器の近傍まで移動するのではなく、該感知器が該作業員の取り外しやすい位置（感知器取り外し位置）まで移動できるようにすれば良い、と考え、その具体的方法を検討した。その結果、感知器を板状体に取り付け、該板状体を前記感知器取り外し位置まで移動するガイド手段を備えた移動手段を用いれば良いことが分かった。この発明は上記知見に基づいてなされたものである。
【実施例】
【００１４】
この発明の実施例を図１により説明する。
発電所の発電室１には、発電装置２が配設けられ、その上方の天井面３には、一対の横レール５ａが固定具６により固定されている。この横レール５ａは、湾曲レール５ｂを介して縦レール５ｃに連続している。この縦レール５ｃは、側壁面９に沿って床面１１まで伸びているが、該縦レール５ｃは、該側壁面９に止め具１０により固定されている。前記レール５ｃの下端は、必ずしも床面１１に当接させる必要はなく、その位置は必用に応じて適宜選択することができる。なお、前記横レール５ａ、湾曲レール５ｂ、縦レール５ｃからなる一連のレールを「ガイドレール」と呼ぶことにする。
【００１５】
前記ガイドレール５Ａには、板状体１３が移動可能に設けられている。この板状体１３は、連動する複数のシャッター片部１３ａを備えたシャッターであり、該シャッター１３の先端のシャッター片部１３ｂには、感知器装着部が設けられている。この感知器装着部には、火災感知器、例えば、煙感知器１５が着脱可能に装着されている。
【００１６】
前記シャッター１３の後端のシャッター片部１３ｃには、牽引機構１７が連結されている。この牽引機構は、操作ハンドル１７を操作することにより前記シャッター１３を下方に引き降ろす。
【００１７】
シャッター１３の表面側には、火災感知器１５と受信機１９とを連結する信号線２１が設けられている。この信号線２１には所定間隔をおいて止め部が設けられ、この止め部は、前記シャッター片部１３ａに固定されている。
【００１８】
なお、図１には、梁８を挟むようにして、２つのシャッター１３の付いたガイドレール５Ａ、５Ｂが示されているが、両ガイドレール５Ａ、５Ｂは、同一なので、ガイドレール５Ｂに関する説明は省略する。
【００１９】
次に、本実施例の作動について説明する。
火災監視時：
火災感知器１５は、ガイドレール５Ａに支持されているシャッター１３の装着部に装着され、天井面３の所定位置に配設されている。このシャッター１３の後端のシャッター片部１３ｃは、側壁面９の上端部近傍に位置している。信号線２１の止め部は前記シャッター片部１３ａに固定されているので、該信号線２１の移動が容易になると共に、垂んで発電装置２等に接触するのを防止することができる。
【００２０】
保守点検時：
前記作業員２３が、ガイドレール５Ａの縦レール５ｃの感知器取り外し位置Ｐ近傍に移動する。この位置Ｐは、前記作業員が感知器を板状体１３から容易に取り外せる高さ（前記作業員２３の手の届く位置）に設定されている。前記作業員が操作ハンドル１７を所定方向に回転させると、シャッター１３が引き下げられ、ガイドレール５Ａに案内されながら床面１１に向かって移動する。そのため、シャッター片部１３ｂに設けられている火災感知器１５は、天井面３に沿って感知器取り外し位置Ｐ上方まで摺動した後、側壁面９に沿って降下し、感知器取り外し位置Ｐに到達する（ガイドレール５Ｂ参照）。
火災感知器１５が感知器取り外し位置Ｐに到達したとき、必ずしも火災感知器１５を取り外す必要がない場合は、その位置のままで点検等をしても良い。
【００２１】
前記作業員２３は、火災感知器１５をシャッター片部１３ｂの装着部から外した後、該火災感知器１５を試験器２５にセットして機能試験を行う。この時、該火災感知器１５は手元にあるので、防虫網の目詰りなどを目視により詳細に点検することができる。
【００２２】
試験終了後、異常があれば新品と交換し、又、異常がなければ該火災感知器１５を前記シャッター片部１３ｂの装着部に装着した後、操作ハンドル１７を前記と逆方向に回転させると、該シャッター１３はガイドレールに案内されながら上昇し、天井面３に沿って移動し元の位置に戻る。そのため、火災感知器１５は、所定位置に正確に戻される。
【００２３】
なお、室内の配置替え等により火災感知器の設置位置を変更しなければならないことがあるが、この場合には、ガイドレールの配設範囲内ではあるが、火災感知器の配設位置を変更することが可能である。
【００２４】
この発明の実施例は、上記に限定されるものではなく、例えば、次の様にすることができる。
（１）牽引機構として、操作ハンドルの代わりに、メインスイッチ等により電気的に牽引するモータ機構を用いる。
【００２５】
（２）信号線をシャッターの背面側に位置させる。この様に背面側にすると、信号線が見えないので、外見が良くなる。
（３）ガイドレールに支持されているシャッターの代わりに、板状体をガイドする手段を備え、該板状体を天井面に沿って感知器取り外し位置上方まで移動させた後、前記感知器取り外し位置に向かって降下せしめる移動手段、を採用することも可能である。
（４）第三者が故意に操作できないように、ロック手段を設けても良い。
【図面の簡単な説明】
【００２６】
【図１】本件発明の実施例を示す斜視図である。
【符号の説明】
【００２７】
３    天井面
５Ａ  ガイドレール
５Ｂ  ガイドレール
９    側壁面
１１  床面
１３  板状体
１５  火災感知器
１７  操作ハンドル(牽引機構)
【図１】
0004795824.tif 000002